(57)【要約】【課題】楽しみながらトレーニングを行い得る遊戯性を有する昇降訓練装置を提供することにある。【解決手段】足で踏むことができる複数のステップ１を具える、脚のトレーニング用の昇降訓練装置において、前記複数のステップ１を各々可動支持する支持部材２と、前記複数のステップ１の各々の動きと連動して複数種類の音を奏でる奏音手段４，７と、を具えることを特徴とする昇降訓練装置である。【選択図】図１
2008073112.tif 000002
【特許請求の範囲】
【請求項１】
足で踏むことができる複数のステップを具える、脚のトレーニング用の昇降訓練装置において、
前記複数のステップを各々可動支持する支持部材と、
前記複数のステップの各々の動きと連動して複数種類の音を奏でる奏音手段と、
を具えることを特徴とする昇降訓練装置。
【請求項２】
前記奏音手段は、
前記支持部材の内部に配置された発音部材と、
前記ステップに固設され、そのステップの動きに伴って前記発音部材を打ってその発音部材に音を発生させる打撃部材と、
を有することを特徴とする、請求項１記載の昇降訓練装置。
【請求項３】
前記ステップは、前記支持部材に揺動可能に支持され、
前記発音部材は、一つの前記ステップに対して複数個配置され、
前記複数個の発音部材は、互いに高さおよび音色の少なくとも一方が異なる複数種類の音を奏するものであり、
前記打撃部材は、前記ステップの揺動方向に応じて異なる前記発音部材を打撃することを特徴とする、請求項２記載の昇降訓練装置。
【請求項４】
前記打撃部材は、前記ステップに下向きに突設されて、その打撃部材の自重により前記ステップを自由状態では水平に保つものである、請求項３記載の昇降訓練装置。
【発明の詳細な説明】
【技術分野】
【０００１】
本発明は、脚のトレーニング用の昇降訓練装置に関するものである。
【背景技術】
【０００２】
近年では高齢化が進み、高齢者の筋力強化及びバランス改善トレーニングが必要とされている。このようなトレーニングのための昇降訓練装置としては、実際の階段を模擬して作られた階段状昇降訓練装置が知られている（特許文献１参照）。
【特許文献１】登録実用新案第３０７２８９４号
【発明の開示】
【発明が解決しようとする課題】
【０００３】
ところで、トレーニングは苦痛を伴うことがあるため、継続して行い得るようにするには、昇降訓練装置は楽しみながらトレーニングできる遊戯性を有することが望ましい。しかしながら上記従来の昇降訓練装置は、単に歩行し得るだけであり、遊戯性を有していない。
【０００４】
それゆえ本発明は、楽しみながらトレーニングを行い得る遊戯性を有する昇降訓練装置を提供することを目的としている。
【課題を解決するための手段】
【０００５】
本発明は、上記課題を解決するためになされたもので、足で踏むことができる複数のステップを具える、脚のトレーニング用の昇降訓練装置において、前記複数のステップを各々可動支持する支持部材と、前記複数のステップの各々の動きと連動して複数種類の音を奏でる奏音手段と、を具えることを特徴とするものである。
【発明の効果】
【０００６】
かかる昇降訓練装置にあっては、トレーニングを行う人が、支持部材によって可動支持された、足で踏むことができる複数のステップを例えば順次にあるいは選択的に踏むと、その踏まれたステップが動き、その動きと連動して奏音手段が例えば互いに高さや音色等の異なる複数種類の音の何れかを奏でる。
【０００７】
従って、本発明の昇降訓練装置によれば、複数のステップを踏む順序等によって異なるメロディーや音色等を奏することができるので、遊戯性を有し、トレーニングを行う人が楽しみながら昇降訓練を行うことができる。
【０００８】
なお、本発明の昇降訓練装置においては、前記奏音手段は、前記支持部材の内部に配置された発音部材と、前記ステップに固設され、そのステップの動きに伴って前記発音部材を打ってその発音部材に音を発生させる打撃部材と、を有していても良く、このようにすれば、簡単かつ壊れにくくしかも安価な構造で、ステップの動きと連動して音を奏するようにすることができる。
【０００９】
また、本発明の昇降訓練装置においては、前記ステップは、前記支持部材に揺動可能に支持され、前記発音部材は、一つの前記ステップに対して複数個配置され、前記複数個の発音部材は、互いに高さおよび音色の少なくとも一方が異なる複数種類の音を奏するものであり、前記打撃部材は、前記ステップの揺動方向に応じて異なる前記発音部材を打撃するものであっても良く、このようにすれば、トレーニングを行う人がステップを踏む位置を異ならせて、ステップの揺動方向を異ならせることで、各ステップでも高さおよび音色の少なくとも一方が異なる複数種類の音を奏することができるので、より遊戯性を高めることができる。
【００１０】
さらに、本発明の昇降訓練装置においては、前記打撃部材は、前記ステップに下向きに突設されて、その打撃部材の自重により前記ステップを自由状態では水平に保つものであっても良く、このようにすれば、スプリング等を設けなくてもステップを自由状態では水平に保つことができるので、昇降訓練装置をより簡単かつ壊れにくくしかも安価な構造のものとすることができる。
【発明を実施するための最良の形態】
【００１１】
以下、本発明の実施の形態を実施例によって、図面に基づき詳細に説明する。ここに、図１は、本発明の昇降訓練装置の一実施例を全体的に示す斜視図、図２（ａ）、（ｂ）は、それぞれその実施例の昇降訓練装置の全体を示す平面図および側面図、図３は、上記実施例の昇降訓練装置のステップおよび奏音部の詳細を示す断面図、図４は、前記実施例の昇降訓練装置のステップを踏むことにより奏で得る音階の例を示す説明図である。
【００１２】
この実施例の昇降訓練装置は、図１，図２に示すように、円をなすように並べて配置された複数のステップ１と、それらのステップ１をそれぞれ支持する、支持部材としての複数本の支柱２と、安全のために上記複数のステップ１に沿ってそれらの両側に設けられた手摺３とを具えている。
【００１３】
各ステップ１は、脚のトレーニングをする人が足で踏み得るよう長方形の板状に形成されるとともに上面に滑り止めのラバーチップが多数突設されており図３に示すように、各ステップ１の下面には、打撃部材としての金属製の棒４が下方へ向けて突設されている。
【００１４】
それぞれの支柱２は、それぞれ図示しないコンクリート製基礎を介して下端部が地面に固定されている。
【００１５】
また各支柱２は、棒４の上端部を貫通するピン６を介して棒４ひいては各ステップ１をそのピン６周りに揺動可能に支持しており、棒４はその自重により、ステップ１の自由状態でステップ１を水平に保つ役割を果たす。
【００１６】
各支柱２の内部には棒４の揺動方向に棒４に隣接して、二種類の異なる高さの音を奏でる、発音部材としての二本の鉄琴７が配置されている。これら棒４と鉄琴７とが、後述のように奏音手段を構成する。
【００１７】
各鉄琴７は、支柱２に固定されていて、棒４を受け止めるストッパーの役割も果たす。また鉄琴７は、図４に音名をアルファベットで示すように、複数本の支柱２間で互いに異なる高さまたは互いに同一の高さの音を奏でるように長さを設定されている。
【００１８】
手摺り３は、子供も大人も掴める高さに設定されて、図示しないコンクリート製基礎を介して地面に固定されるとともに、衛生面での配慮から、表面に抗菌処理が施されている。
【００１９】
かかる実施例の昇降訓練装置にあっては、トレーニングを行う人が、支柱２によって揺動可能に支持された、足で踏むことができる複数のステップ１を例えば順次にあるいは選択的に踏むと、その踏まれたステップ１が揺動し、そのステップ１の揺動と連動して棒４も揺動してその揺動方向にある鉄琴７を打つので、鉄琴７が、互いに高さの異なる複数種類の音の何れかを奏でる。
【００２０】
従って、この実施例の昇降訓練装置によれば、複数のステップ１を踏む順序等によって異なるメロディーを奏することができるので、遊戯性を有し、トレーニングを行う人が楽しみながら昇降訓練を行うことができる。
【００２１】
しかもこの実施例の昇降訓練装置によれば、奏音手段が、支柱２の内部に配置された鉄琴７と、ステップ１に固設され、そのステップ１の揺動に伴って鉄琴７を打ってその鉄琴７に音を発生させる棒４とを有しているので、簡単かつ壊れにくくしかも安価な構造で、ステップ１の動きと連動して音を奏するようにすることができる。
【００２２】
さらにこの実施例の昇降訓練装置によれば、ステップ１は、支柱２に揺動可能に支持され、鉄琴７は、一つのステップ１に対して二本配置され、それら二本の鉄琴７は、互いに高さが異なる二種類の音を奏するものであり、棒４は、ステップ１の揺動方向に応じて異なる鉄琴７を打撃するものであるから、トレーニングを行う人がステップ１を踏む位置を異ならせて、ステップ１の揺動方向を異ならせることで、各ステップ１でも高さが異なる二種類の音を奏することができるので、より遊戯性を高めることができる。
【００２３】
さらにこの実施例の昇降訓練装置によれば、棒４がステップ１に下向きに突設されて、その棒４の自重によりステップ１を自由状態では水平に保つことから、スプリング等を設けなくてもステップ１を自由状態では水平に保つことができるので、昇降訓練装置をより簡単かつ壊れにくくしかも安価な構造のものとすることができる。
【００２４】
以上、図示例に基づき説明したが、本発明は上述の例に限定されるものでなく、特許請求の範囲の記載範囲内で適宜変更することができるものであり、例えば、奏音手段は、ステップの上下動に応じて空気を吹き出すふいごと、その吹き出された空気で振動して音を奏するリードとを組み合わせたものでも良い。
【００２５】
また、支柱２内の鉄琴７は、互いに同一の高さの音を奏でるものでも良い。さらに、ステップ１を支柱２に二本のピンを介して互いに直交する二方向に揺動可能に支持し、鉄琴７は各支柱２内に、その二方向に二本ずつ合計四本設けても良い。
【００２６】
さらに、奏音手段は、鉄琴と木琴とを組み合わせる等により、支柱２毎にあるいは同一支柱２内で異なる音色を奏するものとしても良い。また奏音手段は、支持部材の外部に設けても良い。
【図面の簡単な説明】
【００２７】
【図１】本発明の昇降訓練装置の一実施例を全体的に示す斜視図である。
【図２】（ａ）、（ｂ）は、それぞれ上記実施例の昇降訓練装置の全体を示す平面図および側面図である。
【図３】上記実施例の昇降訓練装置のステップおよび奏音部の詳細を示す断面図である。
【図４】上記実施例の昇降訓練装置のステップを踏むことにより奏で得る音階の例を示す説明図である。
【符号の説明】
【００２８】
１  ステップ
２  支柱
３  手摺り
４  棒
５  フレーム
６  ピン
７  鉄琴
【図１】
2008073112.tif 000003
【図２】
2008073112.tif 000004
【図３】
2008073112.tif 000005
【図４】
2008073112.tif 000006